(57)【特許請求の範囲】
【請求項１】
管理サーバと、前記管理サーバとネットワークを介して通信可能なモバイル端末とを備えた管理システムであって、
前記管理サーバは、
前記モバイル端末から前記ネットワークを介してアクセス要求を受信し、
前記アクセス要求に応答して、折衝中の顧客の一覧を示す折衝データリストと、顧客情報入力テンプレートとを前記モバイル端末に送信し、
前記モバイル端末は、
前記折衝データリスト及び前記顧客情報入力テンプレートを受信し、
前記顧客情報入力テンプレートを表示し、
前記顧客情報入力テンプレートに対するユーザ入力を受け、
前記折衝データリストを更新する旨のユーザ指示を受けた場合には、前記ユーザ入力を受けた顧客情報入力テンプレートと前記更新する旨のユーザ指示を前記管理サーバに送信し、
前記顧客情報入力テンプレートのユーザ入力が完了した旨のユーザ指示を受けた場合には、当該ユーザ入力が完了した顧客情報入力テンプレート及び前記完了した旨のユーザ指示を前記管理サーバに送信し、
前記管理サーバは、
前記更新する旨のユーザ指示を受信した場合には、前記ユーザ入力を受けた顧客情報入力テンプレートに入力された情報に基づいて前記折衝データリストを更新し、
前記完了した旨のユーザ指示を受信した場合には、契約成立後に当該顧客に関する情報を管理するための本登録情報を新設し、前記ユーザ入力が完了した顧客情報入力テンプレートに入力された情報を前記本登録情報に反映させ、
前記管理システムは、前記管理サーバと前記ネットワークを介して通信可能なクライアントコンピュータをさらに含み、
前記顧客情報入力テンプレートは、少なくとも前記顧客の建物のエリアコードを入力する項目とガス供給開始予定日を入力する項目とを含み、
前記顧客情報入力テンプレートに入力された前記顧客の建物のエリアコード及び前記ガス供給開始予定日は、前記本登録情報に反映され、
前記管理サーバは、エリアコードが関連付けられた複数の工事会社のスケジュールが予め登録されており、前記スケジュールは、ガス供給に関するガス会社の工事可能日を含み、
前記管理サーバはさらに、
前記本登録情報において反映された前記顧客の建物のエリアコード及び前記ガス供給開始予定日を用いて、前記本登録情報に反映された顧客の建物のエリアコードと一致するエリアコードが関連付けられた工事会社を選別し、当該選別された工事会社の前記スケジュールにおける前記工事可能日と前記本登録情報に反映されたガス供給開始予定日とが一致する工事会社を検索し、
当該一致した工事会社の一覧を前記クライアントコンピュータの表示装置に表示することを特徴とする管理システム。
【請求項２】
前記管理システムは、前記管理サーバと前記ネットワークを介して通信可能なクライアントコンピュータをさらに含み、
前記クライアントコンピュータは、前記管理サーバから前記本登録情報を検索することが可能であることを特徴とする請求項１に記載の管理システム。
【請求項３】
管理サーバと、前記管理サーバとネットワークを介して通信可能なモバイル端末とを備えた管理システムにおいて実行される方法であって、
前記管理サーバが、前記モバイル端末から前記ネットワークを介してアクセス要求を受信するステップと、
前記管理サーバが、前記アクセス要求に応答して、折衝中の顧客の一覧を示す折衝データリストと、顧客情報入力テンプレートとを前記モバイル端末に送信するステップと、
前記モバイル端末が、前記折衝データリスト及び前記顧客情報入力テンプレートを受信するステップと、
前記モバイル端末が、前記顧客情報入力テンプレートを表示するステップと、
前記モバイル端末が、前記顧客情報入力テンプレートに対するユーザ入力を受けるステップと、
前記モバイル端末が、前記折衝データリストを更新する旨のユーザ指示を受けた場合には、前記ユーザ入力を受けた顧客情報入力テンプレートと前記更新する旨のユーザ指示を前記管理サーバに送信するステップと、
前記モバイル端末が、前記顧客情報入力テンプレートのユーザ入力が完了した旨のユーザ指示を受けた場合には、当該ユーザ入力が完了した顧客情報入力テンプレート及び前記完了した旨のユーザ指示を前記管理サーバに送信するステップと、
前記管理サーバが、前記更新する旨のユーザ指示を受信した場合には、前記ユーザ入力を受けた顧客情報入力テンプレートに入力された情報に基づいて前記折衝データリストを更新するステップと、
前記管理サーバが、前記完了した旨のユーザ指示を受信した場合には、契約成立後に当該顧客に関する情報を管理するための本登録情報を新設し、前記ユーザ入力が完了した顧客情報入力テンプレートに入力された情報を前記本登録情報に反映させるステップと、
を含み、
前記管理システムは、前記管理サーバと前記ネットワークを介して通信可能なクライアントコンピュータをさらに含み、
前記顧客情報入力テンプレートは、少なくとも前記顧客の建物のエリアコードを入力する項目とガス供給開始予定日を入力する項目とを含み、
前記顧客情報入力テンプレートに入力された前記顧客の建物のエリアコード及び前記ガス供給開始予定日は、前記本登録情報に反映され、
前記管理サーバは、エリアコードが関連付けられた複数の工事会社のスケジュールが予め登録されており、前記スケジュールは、ガス供給に関するガス会社の工事可能日を含み、
前記方法は、
前記管理サーバが、前記本登録情報に反映された顧客の建物のエリアコードと一致するエリアコードが関連付けられた工事会社を選別するステップと、
前記管理サーバが、当該選別された工事会社の前記スケジュールにおける前記工事可能日と前記本登録情報に反映されたガス供給開始予定日とが一致した工事会社を検索するステップと、
前記管理サーバが、当該検索結果となる工事会社の一覧を前記クライアントコンピュータの表示装置に表示するステップと、
をさらに含むことを特徴とする方法。
【請求項４】
前記管理システムは、前記管理サーバと前記ネットワークを介して通信可能なクライアントコンピュータをさらに含み、
前記方法は、
前記クライアントコンピュータが、前記管理サーバから前記本登録情報を検索するステップをさらに含むことを特徴とする請求項３に記載の方法。
【発明の詳細な説明】
【技術分野】
【０００１】
本発明は、管理システム及びその方法に関し、より詳細には、折衝等の進捗状況に関する折衝情報やお客様情報を登録・管理して営業の効率化を図るための管理システム及びその方法に関する。
【背景技術】
【０００２】
ガス契約が未契約のお客様やガス供給会社の切替を検討しているお客様に対してガス契約に関する営業をする際に、営業員はお客様宅を営業訪問して、そのお客様に対して折衝を行う。折衝の結果、そのお客様との間で契約が完了し、その後、営業本部に戻ってクライアントコンピュータを用いて管理サーバにそのお客様に関する本登録情報を登録する。
【発明の概要】
【発明が解決しようとする課題】
【０００３】
しかし、従来、折衝の進捗状況等に関する折衝情報や折衝中のお客様に関するお客様情報を登録・管理するシステムは存在しなかった。そのため、ガスの供給に係る折衝には配送員、検針員及び保安員等も営業員として活動するので、折衝を途中で中断し、後日、別の営業員がお客様宅を訪問して折衝を再開する際に、その別の営業員はその折衝情報やお客様情報を前回の営業員とでやりとりしなければならない。その作業に時間を要しており、従って営業員間で情報を共有できるシステムの構築が望まれていた。
【０００４】
また、契約が成立した際には、契約書類等を参照して契約が成立したお客様に関する本登録情報を逐一入力しなければならず手間がかかったことから、お客様に関する本登録情報を簡便に登録できるシステムの構築が望まれていた。
【０００５】
このように、従来、お客様ごとに折衝情報やお客様情報を登録・管理しつつ折衝における作業効率の効率化を図るシステムはなかったため、折衝に関する作業効率の改善を図ることが困難であった。
【０００６】
本発明は、上記を鑑みてなされたものであり、その目的は、折衝情報やお客様情報を登録・管理して、その情報を本登録情報として移行することにより、営業の効率化を図るための管理システム及びその方法を提供することである。
【課題を解決するための手段】
【０００７】
上記課題を解決するために、本発明の一態様に係る管理システムは、管理サーバと、前記管理サーバとネットワークを介して通信可能なモバイル端末とを備えた管理システムであって、前記管理サーバは、前記モバイル端末から前記ネットワークを介してアクセス要求を受信し、前記アクセス要求に応答して、折衝中の顧客の一覧を示す折衝データリストと、顧客情報入力テンプレートとを前記モバイル端末に送信し、前記モバイル端末は、前記折衝データリスト及び前記顧客情報入力テンプレートを受信し、前記顧客情報入力テンプレートを表示し、前記顧客情報入力テンプレートに対するユーザ入力を受け、前記折衝データリストを更新する旨のユーザ指示を受けた場合には、前記ユーザ入力を受けた顧客情報入力テンプレートと前記更新する旨のユーザ指示を前記管理サーバに送信し、前記顧客情報入力テンプレートのユーザ入力が完了した旨のユーザ指示を受けた場合には、当該ユーザ入力が完了した顧客情報入力テンプレート及び前記完了した旨のユーザ指示を前記管理サーバに送信し、前記管理サーバは、前記更新する旨のユーザ指示を受信した場合には、前記ユーザ入力を受けた顧客情報入力テンプレートに入力された情報に基づいて前記折衝データリストを更新し、前記完了した旨のユーザ指示を受信した場合には、契約成立後に当該顧客に関する情報を管理するための本登録情報を新設し、前記ユーザ入力が完了した顧客情報入力テンプレートに入力された情報を前記本登録情報に反映させ、前記管理システムは、前記管理サーバと前記ネットワークを介して通信可能なクライアントコンピュータをさらに含み、前記顧客情報入力テンプレートは、少なくとも前記顧客の建物のエリアコードを入力する項目とガス供給開始予定日を入力する項目とを含み、前記顧客情報入力テンプレートに入力された前記顧客の建物のエリアコード及び前記ガス供給開始予定日は、前記本登録情報に反映され、前記管理サーバは、エリアコードが関連付けられた複数の工事会社のスケジュールが予め登録されており、前記スケジュールは、ガス供給に関するガス会社の工事可能日を含み、前記管理サーバはさらに、前記本登録情報において反映された前記顧客の建物のエリアコード及び前記ガス供給開始予定日を用いて、前記本登録情報に反映された顧客の建物のエリアコードと一致するエリアコードが関連付けられた工事会社を選別し、当該選別された工事会社の前記スケジュールにおける前記工事可能日と前記本登録情報に反映されたガス供給開始予定日とが一致する工事会社を検索し、当該一致した工事会社の一覧を前記クライアントコンピュータの表示装置に表示することを特徴とする。
【０００９】
本発明の他の態様に係る管理システムでは、前記管理システムは、前記管理サーバと前記ネットワークを介して通信可能なクライアントコンピュータをさらに含み、前記クライアントコンピュータは、前記管理サーバから前記本登録情報を検索することが可能であることを特徴とする。
【００１０】
本発明の一態様に係る方法は、管理サーバと、前記管理サーバとネットワークを介して通信可能なモバイル端末とを備えた管理システムにおいて実行される方法であって、前記管理サーバが、前記モバイル端末から前記ネットワークを介してアクセス要求を受信するステップと、前記管理サーバが、前記アクセス要求に応答して、折衝中の顧客の一覧を示す折衝データリストと、顧客情報入力テンプレートとを前記モバイル端末に送信するステップと、前記モバイル端末が、前記折衝データリスト及び前記顧客情報入力テンプレートを受信するステップと、前記モバイル端末が、前記顧客情報入力テンプレートを表示するステップと、前記モバイル端末が、前記顧客情報入力テンプレートに対する前記ユーザ入力を受けるステップと、前記モバイル端末が、前記折衝データリストを更新する旨のユーザ指示を受けた場合には、前記ユーザ入力を受けた顧客情報入力テンプレートと前記更新する旨のユーザ指示を前記管理サーバに送信するステップと、前記モバイル端末が、前記顧客情報入力テンプレートのユーザ入力が完了した旨のユーザ指示を受けた場合には、当該ユーザ入力が完了した顧客情報入力テンプレート及び前記完了した旨のユーザ指示を前記管理サーバに送信するステップと、前記管理サーバが、前記更新する旨のユーザ指示を受信した場合には、前記ユーザ入力を受けた顧客情報入力テンプレートに入力された情報に基づいて前記折衝データリストを更新するステップと、前記管理サーバが、前記完了した旨のユーザ指示を受信した場合には、契約成立後に当該顧客に関する情報を管理するための本登録情報を新設し、前記ユーザ入力が完了した顧客情報入力テンプレートに入力された情報を前記本登録情報に反映させるステップと、を含み、前記管理システムは、前記管理サーバと前記ネットワークを介して通信可能なクライアントコンピュータをさらに含み、前記顧客情報入力テンプレートは、少なくとも前記顧客の建物のエリアコードを入力する項目とガス供給開始予定日を入力する項目とを含み、前記顧客情報入力テンプレートに入力された前記顧客の建物のエリアコード及び前記ガス供給開始予定日は、前記本登録情報に反映され、前記管理サーバは、エリアコードが関連付けられた複数の工事会社のスケジュールが予め登録されており、前記スケジュールは、ガス供給に関するガス会社の工事可能日を含み、前記方法は、前記管理サーバが、前記本登録情報に反映された顧客の建物のエリアコードと一致するエリアコードが関連付けられた工事会社を選別するステップと、前記管理サーバが、当該選別された工事会社の前記スケジュールにおける前記工事可能日と前記本登録情報に反映されたガス供給開始予定日とが一致した工事会社を検索するステップと、前記管理サーバが、当該検索結果となる工事会社の一覧を前記クライアントコンピュータの表示装置に表示するステップと、をさらに含むことを特徴とする。
【００１２】
本発明の他の態様に係る方法では、前記管理システムは、前記管理サーバと前記ネットワークを介して通信可能なクライアントコンピュータをさらに含み、前記方法は、前記クライアントコンピュータが、前記管理サーバから前記本登録情報を検索するステップをさらに含むことを特徴とする。
【発明の効果】
【００１３】
本発明によると、折衝、成約及びクロージングに関する情報やお客様情報を登録・管理し、契約が成立した際にはお客様情報を本登録情報に反映させて登録することにより、営業の効率化を図るための管理システム及びその方法を提供することができる。
【図面の簡単な説明】
【００１４】
【図１】本発明に係る管理システムにおけるネットワーク構成の一例を示す図である。
【図２】モバイル端末で表示される折衝管理マップ及びその詳細画面を例示する図である。
【図３】モバイル端末で表示されるメニュー画面を例示する図である。
【図４】新規入力テンプレートを例示する図である。
【図５】新規折衝情報の詳細画面を例示する図である。
【図６】新規入力テンプレートから移行する場合の成約入力テンプレートを例示する図である。
【図７】検索画面を例示する図である。
【図８】切替入力テンプレートを例示する図である。
【図９】切替入力テンプレートから移行する場合の成約入力テンプレートを例示する図である。
【図１０】クロージング入力テンプレートを例示する図である。
【図１１】成約状況の詳細を示す詳細画面を例示する図である。
【図１２】クロージング状況の詳細を示す詳細画面を例示する図である。
【図１３】クライアントコンピュータでのデータ出力画面を例示する図である。
【発明を実施するための形態】
【００１５】
（ネットワーク構成例）
図１は、本発明に係る管理システムにおけるネットワーク構成の一例を示す図である。図１において、管理サーバ１０１は、ネットワーク１０２を介して、複数のクライアントコンピュータ１０３と通信可能に構成されている。また、管理サーバ１０１は、ネットワーク１０４を介して、複数のモバイル端末（通信端末）１０５と通信可能に構成されている。
【００１６】
クライアントコンピュータ１０３は、例えば各配送拠点の配送を一元で管理する配送センターに設置された端末である。クライアントコンピュータ１０３は、ネットワーク１０２を介して管理サーバ１０１に接続することができる。
【００１７】
モバイル端末１０５は、ガス契約に関する折衝を行う営業員（又は、例えば、検針員、配送員、保安員などでもよい）によって使用される端末であり、ＣＰＵ、メモリ、入力装置および表示装置などを備える。モバイル端末１０５は、ネットワーク１０４を介して折衝状況を含む折衝情報を管理サーバ１０１に送信することができる。また、モバイル端末１０５は、例えばAndroid端末等のスマートフォンとすることができ、本発明に係る折衝管理に関する折衝アプリケーションをメモリに格納している。
【００１８】
＜実施例１＞
以下、本発明の実施例に係る管理システムについて説明する。上述したように、モバイル端末１０５は、本発明に係る折衝管理に関する折衝アプリケーションをメモリに格納しており、モバイル端末１０５に表示された折衝アプリケーションのアイコンをタッチすることにより、折衝アプリケーションを起動することができる。
【００１９】
モバイル端末１０５は、折衝アプリケーションが起動されると、ネットワーク１０４を介して管理サーバ１０１にアクセス要求を送信する。当該アクセス要求は、営業員が所属している営業所を識別するための営業所識別子、営業員を識別するための営業員識別子及びパスワードを含む。
【００２０】
管理サーバ１０１は、当該アクセス要求について、営業員識別子及びパスワードに基づいて正当なアクセスであるかどうかの判定を行う。その結果、正当なアクセスではないと判定された場合、処理は終了し、正当なアクセスであると判定された場合、折衝中のお客様を示す折衝データリストと、お客様情報入力テンプレートとをモバイル端末１０５に送信する。ここで、折衝データリストは、営業所識別子に関連付けられており、新規折衝継続中であるお客様を示す新規折衝データリストと、切替折衝継続中であるお客様を示す切替折衝データリストと、成約中のお客様を示す成約データリストと、クロージング中のお客様を示すクロージングデータリストを含む。お客様情報入力テンプレートは、新規折衝に関する新規折衝情報の入力を行うための新規入力テンプレートと、切替折衝に関する切替折衝情報の入力を行うための切替入力テンプレートと、成約に関する成約情報の入力を行うための成約入力テンプレートと、クロージングに関するクロージング情報の入力を行うためのクロージング入力テンプレートと、検索条件を入力するための検索条件入力テンプレートと、を含む。営業所識別子に関連付けられた折衝データリストをモバイル端末１０５に送信することにより、営業所単位で折衝情報やお客様情報を共有することができる。
【００２１】
また、管理サーバ１０１は、上記判定の結果、正当なアクセスであると判定された場合、地図提供サーバからモバイル端末１０５の周辺の地図を受信し、受信したモバイル端末１０５の周辺の地図に基づいてモバイル端末１０５の周辺における建物の折衝状況を示す折衝管理マップを作成してモバイル端末１０５に送信する。管理サーバ１０１は、例えばゼンリンの地図提供サーバから当該周辺地図を受信することができる。モバイル端末１０５は、折衝管理マップの受信に応答して折衝管理マップを表示する。
【００２２】
図２（ａ）は、モバイル端末１０５で表示される折衝管理マップを例示する。図２（ａ）に示されるように、折衝管理マップには、複数の建物が表示されており、これらの建物をタッチ入力により選択することができる。折衝管理マップ中において建物を選択すると、選択された建物が強調表示され、例えばもう一度その建物を選択すると、図２（ｂ）に示されるように、選択された建物に関するお客様情報が表示される。
【００２３】
折衝管理マップでは、折衝管理マップに表示された複数の建物のうち、他のガス供給会社と契約中の建物２０２、自社と契約中の建物２０３及び折衝中の建物２０４など、特定の契約・折衝状態の建物をそれぞれ異なる表示方法により表示することができる。折衝データが未入力の建物は通常通りの表示方法で表示される。それにより、営業員は、周辺の建物の契約・折衝状況を視覚的に判断することができるため、営業の効率化を図ることが可能となる。
【００２４】
図２（ａ）及び（ｂ）に示されるように、折衝管理マップには、メニューキー２０１が設けられている。折衝管理マップ中のメニューキー２０１をタッチ選択すると、メニュー画面がモバイル端末１０５で表示される。
【００２５】
図３（ａ）は、モバイル端末１０５で表示されるメニュー画面を例示する。このメニュー画面で表示される項目は、例えば、どのガス供給会社とも未契約のお客様についての折衝を管理するための新規折衝入力項目と、他社から切り替える際の折衝を管理するための切替折衝入力項目、新規折衝又は切替折衝の成約を管理するための成約入力項目と、切替折衝のクロージングを管理するためのクロージング入力項目とを含むことができる。
【００２６】
ここで、上記では、モバイル端末１０５が、折衝データリスト及びお客様情報入力テンプレートに加えて折衝管理マップを受信して、折衝管理マップ中のメニューキーを選択することによってメニュー画面を表示する例を説明したが、モバイル端末１０５が折衝データリスト及びお客様情報入力テンプレートのみを受信してそのままメニュー画面に移行するように構成してもよい。
【００２７】
（新規折衝〜成約）
まず、新規折衝〜成約までの本発明に係る管理システムの処理の流れについて説明する。
【００２８】
メニュー画面から新規折衝入力項目が選択されると、図３（ｂ）に示されるように、モバイル端末１０５は、管理サーバ１０１から受信した営業員の折衝データリストのうち新規折衝データリストを表示する。新規折衝データリストに表示されたお客様に関するレコードは、新規折衝中のお客様を表す。
【００２９】
新規折衝情報のデータ入力を開始する場合は、画面上の機能キー３０１を選択する。機能キー３０１を選択すると、図３（ｃ）に示されるように、「登録」キーと「検索」キーが表示される。「登録」キーは、新規のお客様について折衝を開始するためのソフトキーであり、「検索」キーは、折衝中のお客様を任意の条件により検索するためのソフトキーである。
【００３０】
ここでは、新規のお客様について折衝を開始するために、「登録」キーを選択したとすると、図３（ｄ）に示されるように、モバイル端末１０５は、新規折衝先の建物が「戸建て」キー及び「集合住宅」キーのいずれに該当するかを選択する画面を表示する。「戸建て」キー及び「集合住宅」キーのいずれかを選択すると、モバイル端末１０５は、「戸建て」キー及び「集合住宅」キーのうち、選択された方に対応する新規入力テンプレートを表示する。
【００３１】
図４は新規入力テンプレートを例示する。図４に示されるように、「戸建て」に関する新規入力テンプレートと「集合住宅」に関する新規入力テンプレートとでは、入力項目群４０１ａ及び４０１ｂの部分のみが異なっており、その他は同一である。既存のお客様に関するお客様情報を入力する際は、図４中のお客様情報取得を選択することにより自動的にお客様情報を入力することができる。
【００３２】
図４中の「使用者」の入力項目は、例えば本人、ご主人、奥様、子供、その他から選択することができる。図４中の「見込みランク」の入力項目は、成約への見込みを高い順から例えばＡ、Ｂ、Ｃの３段階で選択することができる。
【００３３】
図４に示されるように、新規入力テンプレートは、「継続折衝として更新」キー、「成約として更新」キー及び「キャンセルとして携帯から削除」キーを有しており、折衝のデータ入力を途中で中断した場合は「継続折衝として更新」キーを選択し、折衝して成約になった場合は「成約として更新」キー、折衝が失敗して新規折衝情報を削除したい場合は「キャンセルとして携帯から削除」キーを選択することができる。
【００３４】
「継続折衝として更新」キーを選択した場合、新規入力テンプレートで入力途中の新規折衝情報とを管理サーバ１０１に送信する。管理サーバ１０１は、受信した入力途中の新規折衝情報を折衝データリストに登録して更新する。また、管理サーバ１０１は、図２に示す折衝管理マップ中の対応する建物について、その表示方法が折衝中の建物２０４を示す表示方法ではない場合、その表示方法を折衝中の建物２０４を示す表示方法に更新する。その後、管理サーバ１０１は、モバイル端末１０５からアクセスがあった場合に更新した折衝データリストを送信する。
【００３５】
「成約として更新」キーを選択した場合、モバイル端末１０５は、新規入力テンプレートで入力が完了した新規折衝情報を管理サーバ１０１に送信し、その後、成約入力テンプレートを表示することができる。それにより、営業員は、新規折衝情報のデータ入力に引き続き、成約入力テンプレートのデータ入力を開始することができる。ここで、モバイル端末１０５は、新規入力テンプレートで入力が完了した新規折衝情報を管理サーバ１０１に送信した後、続けて成約情報を入力するかどうかの確認メッセージを表示してもよい。
【００３６】
管理サーバ１０１は、受信した新規折衝情報を成約として更新し、当該成約となったお客様のレコードを新規折衝データリストから削除することができる。それにより、モバイル端末１０５では、新規折衝データリストからそのお客様の項目が表示されなくなる。また、管理サーバ１０１は、図２に示す折衝管理マップ中の対応する建物について、その表示方法が折衝中の建物２０４を示す表示方法ではない場合、その表示方法を折衝中の建物２０４を示す表示方法に更新する。
【００３７】
「キャンセルとして携帯から削除」キーを選択した場合、モバイル端末１０５は、新規折衝情報を削除する。また、モバイル端末１０５は、管理サーバ１０１に削除命令を送信し、管理サーバ１０１は、新規折衝データリストに当該お客様のレコードが登録されている場合に新規折衝データリストから当該お客様のレコードを削除する。また、管理サーバ１０１は、図２に示す折衝管理マップ中の対応する建物について、その表示方法を未契約の建物を示す表示方法に更新する。「キャンセルとして携帯から削除」キーを選択後に、削除を許可するかについての確認のメッセージがモバイル端末１０５で表示されるようにしてもよい。
【００３８】
ここで、図３（ｂ）に示す新規折衝データリストに表示されたお客様に関するレコードがタッチ選択すると、そのお客様に関する新規折衝情報の詳細画面を表示することができる。図５は、新規折衝情報の詳細画面を例示する。図５に示す詳細画面中の「次に」キーを選択すると、入力途中の新規入力テンプレートが表示されるため、途中で中断したデータ入力を再開することができる。
【００３９】
図６は、新規入力テンプレートから移行する場合の成約入力テンプレートを例示する。上述のように、新規入力テンプレートで「成約として更新」キーを選択すると、引き続いて図６に示す成約入力テンプレートが表示される。成約入力テンプレートでは、対応する入力内容について、新規入力テンプレートでの入力内容が反映されているため、必要項目を追加で入力することができる。
【００４０】
図６中の「契約手法」の入力項目は、例えば紹介、Ｄ２Ｄ、新設、問い合せ、コールセンターから選択することができる。図６中の「契約動機」の入力項目は、例えば当社サービス、価格（条件）、当社社員の信頼、現供給会社不満、その他から選択することができる。図６中の「建物区分」の入力項目は、特定地下街等、一般集合住宅、一般住宅、特定地下室等、超高層建物、構想建物、特定大規模建物、特定中規模建物、特定公共建物、工業用建物及び一般業務用建物、ボンベ庫から選択することができる。図６中の「給湯器有無」の入力項目は、無又は有から選択することができる。図６中の「住宅区分」の入力項目は、例えば自宅、借家、社宅・アパート、マンション、公団・市営・県営、公共施設、ワンルーム、自家消費、その他から選択することができる。図６中の「火気チェック」の入力項目は、例えばＯＫ、遮閉版、ボンベ移設、遮閉版＋ボンベ移設から選択することができる。図６中の「自振確認」の入力項目は、例えば回収済、切替日当日から選択することができる。
【００４１】
成約入力テンプレートの入力が完了して、「成約完了として更新」キーが選択されると、モバイル端末１０５は、成約入力テンプレートで入力が完了した成約情報を管理サーバ１０１に送信する。管理サーバ１０１は、当該成約が新規折衝からの成約である場合、受信した成約情報を成約完了として更新し、新規折衝のデータにより「新設新規」の受付を作成する。また、管理サーバ１０１は、図２に示す折衝管理マップ中の対応する建物について、その表示方法を契約中の建物２０３を示す表示方法に更新する。
【００４２】
以上により、新規折衝から成約までの本発明に係る管理システムの処理が完了する。
【００４３】
ここで、図３（ｃ）で「検索」キーを選択すると、図７（ａ）及び（ｂ）に示されるように、モバイル端末１０５は、検索条件入力テンプレートを表示した画面を表示する。検索条件入力テンプレートでは、例えば、見込みランク、支店、営業所、担当者、折衝日、お客様名（物件名）、郵便番号、住所等を入力することができる。検索条件入力テンプレートでの入力が完了後、図７（ｂ）に示す「検索」キーを選択すると、図７（ｃ）に示すように、検索条件によって新規折衝データリストの絞込みを行い、検索条件と一致した新規折衝データリストが表示される。なお、図７（ｂ）に示す「クリア」キーを選択すると、検索条件を全てクリアすることができる。
【００４４】
図７（ｃ）に示す検索後の折衝データリストからお客様に関するレコードを選択すると、図５に示したように、そのレコードにおける折衝状況の詳細を示す詳細画面が表示され、そのお客様に関する入力途中の新規入力テンプレートを表示することができ、中断したデータ入力を再開することができる。
【００４５】
（切替折衝〜成約〜クロージング）
次に、切替折衝〜成約〜クロージングまでの本発明に係る管理システムの処理の流れを説明する。
【００４６】
図３（ａ）に戻り、上記メニュー画面において切替折衝入力項目が選択された場合、モバイル端末１０５は、管理サーバ１０１から受信した折衝データリストのうち切替折衝データリストを表示する。上記同様に、機能キーを選択して「検索」キーを用いて検索を行うことにより、切替折衝データリストの絞込みを行った上で切替折衝情報のデータ入力を行うことができる。また、上記同様に、切替データリスト中のお客様のレコードが選択されると、モバイル端末１０５は、そのレコードにおける折衝状況の詳細を示す詳細画面を表示し、入力途中の新規入力テンプレートを表示することができるため、途中で中断した切替入力テンプレートのデータ入力を再開することができる。
【００４７】
図８は、切替入力テンプレートを例示する。切替入力テンプレートは、新規折衝情報のデータ入力の場合と同様の操作により表示することができる。「戸建て」に関する切替入力テンプレートと「集合住宅」に関する切替入力テンプレートとでは、入力項目群８０１ａ及び８０１ｂの部分のみが異なっており、その他は同一である。図８に示されるように、切替入力テンプレートは、入力項目群８０２が有する点で、図５に示す新規入力テンプレートと異なっている。
【００４８】
図８中の「ボンベ  返納容器」の入力項目は、例えば２０本、３０本、５０本、４５０本、５００本から選択することができる。図８中の「バルク  返納」の入力項目は、例えば０ｋｇ、１ｋｇ、５０ｋｇ、８０ｋｇ、１４５ｋｇ、１５０ｋｇから選択することができる。
【００４９】
図８に示されるように、切替入力テンプレートは、新規入力テンプレートと同様に、「継続折衝として更新」キー、「成約として更新」キー及び「キャンセルとして携帯から削除」キーを有しており、「成約として更新」キーを選択することにより、モバイル端末１０５は、切替入力テンプレートで入力が完了した切替折衝情報を管理サーバ１０１に送信し、その後、成約入力テンプレートを表示することができる。上記同様に、モバイル端末１０５は、切替入力テンプレートで入力が完了した切替折衝情報を管理サーバ１０１に送信した後、続けて成約情報を入力するかどうかの確認メッセージを表示してもよい。また、管理サーバ１０１は、図２に示す折衝管理マップ中の対応する建物について、その表示方法が折衝中の建物２０４を示す表示方法ではない場合、その表示方法を折衝中の建物２０４を示す表示方法に更新する。
【００５０】
図９は、切替入力テンプレートから移行する場合の成約入力テンプレートを例示する。図９に示されるように、切替入力テンプレートから移行する場合の成約入力テンプレートは、入力項目群９０１、９０２及び９０３を有する点で、図６に示す成約入力テンプレートと異なっている。
【００５１】
切替入力テンプレートで「成約として更新」キーを選択すると、引き続いて図８に示す成約入力テンプレートが表示される。成約入力テンプレートでは、対応する入力内容について、切替入力テンプレートでの入力内容が反映されているため、必要項目を追加で入力することができる。図９中の「容器交換区分」の入力項目は、例えば全数、半数、全数＋予備、半数同一側、半数異数、バルク、タンクから選択することができる。
【００５２】
成約入力テンプレートの入力が完了して、「成約完了として更新」キーが選択されると、モバイル端末１０５は、成約入力テンプレートで入力が完了した成約情報を管理サーバ１０１に送信し、その後、クロージング入力テンプレートを表示することができる。また、管理サーバ１０１は、図２に示す折衝管理マップ中の対応する建物について、その表示方法を契約中の建物２０３を示す表示方法に更新する。
【００５３】
図１０は、クロージング入力テンプレートを例示する。クロージング入力テンプレートでは、対応する入力内容について、成約入力テンプレートでの入力内容が反映されているため、必要項目を追加で入力することができる。
【００５４】
クロージング入力テンプレートの入力が完了して、図１０に示す「クロージング完了として更新」キーが選択されると、モバイル端末１０５は、クロージング入力テンプレートで入力が完了したクロージング情報を管理サーバ１０１に送信し、その後に、特定商取引に関する確認を実施したかのメッセージを表示することができる。管理サーバ１０１は、クロージング情報を受信するとクロージング完了として更新し、そのお客様に関する「切替新規」の受付を作成する。切替折衝〜成約〜クロージングのデータは、「切替新規」の本登録情報に反映される。
【００５５】
以上により、切替折衝〜成約〜クロージングまでの本発明に係る管理システムの処理が完了する。
【００５６】
（成約入力項目及びクロージング入力項目について）
図３（ａ）に戻り、上記メニュー画面において成約入力項目が選択された場合、モバイル端末１０５は、管理サーバ１０１から受信した折衝データリストのうち成約データリストを表示する。上記同様に、機能キー３０１を選択して「検索」キーを用いて検索を行うことにより、成約データリストの絞込みを行った上で成約情報のデータ入力を行うことができる。成約データリスト中のお客様のレコードが選択されると、モバイル端末１０５には、そのレコードにおける成約状況の詳細を示す詳細画面が表示される。図１１は、成約状況の詳細を示す詳細画面を例示する。図１１に示す詳細画面中の「更新」キーを選択すると、そのお客様に関する成約入力テンプレートが表示される。その後、上述したように成約入力テンプレートに成約情報を入力することができる。
【００５７】
また、上記メニュー画面においてクロージング入力項目が選択された場合、モバイル端末１０５は、管理サーバ１０１から受信した折衝データリストのうちクロージングデータリストを表示する。上記同様に、機能キー３０１を選択して「検索」キーを用いて検索を行うことにより、クロージングデータリストの絞込みを行った上でクロージングデータの入力を行うことができる。
【００５８】
クロージングデータリスト中のお客様のレコードが選択されると、モバイル端末１０５には、そのレコードにおけるクロージング状況の詳細を示す詳細画面が表示される。図１２は、クロージング状況の詳細を示す詳細画面を例示する。図１２に示す詳細画面中の「更新」キーを選択すると、クロージング入力テンプレートが表示される。その後、上述したようにクロージング入力テンプレートにクロージング情報を入力することができる。
【００５９】
以上、新規入力テンプレート、切替入力テンプレート、成約入力テンプレート及びクロージング入力テンプレートについて説明したが、各入力テンプレートにおいて、折衝中の建物のエリアコードを入力する項目を追加しても良い。
【００６０】
（クライアントコンピュータでのデータ出力）
図１３は、クライアントコンピュータでのデータ出力画面を例示する。クライアントコンピュータ１０３では、管理サーバ１０１に登録された「新設新規」又は「切替新規」に関する本登録情報を各種検索条件によりそれぞれ検索することができ、折衝段階で入力した登録情報を逐一入力することなく、折衝段階で入力した登録情報を反映させた各種帳票を出力することができる。
【００６１】
また、クライアントコンピュータ１０３では、「新設新規」又は「切替新規」においてなされる工事について、対応可能な工事会社を選別し、その一覧を表示することができる。管理サーバ１０１には複数の工事会社のスケジュールが予め登録されており、複数の工事会社の各々について郵便番号やエリアコードを関連付けてられている。それにより、管理サーバ１０１は、各入力テンプレートで入力した郵便番号やエリアコードが関連付けられた工事会社を選別し、その工事会社のうち、その工事会社のスケジュールにおける工事可能日と各入力テンプレートで入力した供給開始予定日とがマッチングした工事会社を検索結果として表示することができる。それにより、従来では折衝が完了した後、折衝で得られた情報を逐一入力して工事対応可能な工事会社を検索・選択していたが、そのような作業を要することなく効率的に工事対応可能な工事会社を選別することができる。
【符号の説明】
【００６２】
管理サーバ  １０１
ネットワーク  １０２、１０４
クライアントコンピュータ  １０３
モバイル端末  １０５
【図１】
0006389538.tif 000002
【図２】
0006389538.tif 000003
【図３】
0006389538.tif 000004
【図４】
0006389538.tif 000005
【図５】
0006389538.tif 000006
【図６】
0006389538.tif 000007
【図７】
0006389538.tif 000008
【図８】
0006389538.tif 000009
【図９】
0006389538.tif 000010
【図１０】
0006389538.tif 000011
【図１１】
0006389538.tif 000012
【図１２】
0006389538.tif 000013
【図１３】
0006389538.tif 000014